【手続補正書】
【提出日】平成19年9月5日(2007.9.5)
【手続補正１】
【補正対象書類名】特許請求の範囲
【補正対象項目名】全文
【補正方法】変更
【補正の内容】
【特許請求の範囲】
【請求項１】
第１のアクチュエータと、
第２のアクチュエータと、
前記第１のアクチュエータにより駆動される第１の遮光部材と、
前記第２のアクチュエータにより駆動され、かつ前記第１の遮光部材と当接して前記第１の遮光部材の動作によって駆動可能な第２の遮光部材とを有し、
絞り調節動作時には前記第１のアクチュエータにより前記第１の遮光部材が駆動されるとともに前記第２の遮光部材が駆動されて前記第１および第２の遮光部材にて形成される絞り口径を調節し、シャッタ動作時には前記第２のアクチュエータにより前記第２の遮光部材が駆動されることを特徴とする光量調節装置。
【請求項２】
前記シャッタ動作時において、前記第１の遮光部材は該シャッタ動作の開始時点での絞り調節位置に保持されることを特徴とする請求項１に記載の光量調節装置。
【請求項３】
前記第２の遮光部材を複数有することを特徴とする請求項１又は２に記載の光量調節装置。
【請求項４】
前記第１の遮光部材は、凸状に形成され、前記複数の第２の遮光部材を駆動するための複数の当接部を有することを特徴とする請求項３に記載の光量調節装置。
【請求項５】
前記第１および第２のアクチュエータは、互いに異なる種類のアクチュエータであることを特徴とする請求項１から４のいずれか１つに記載の光量調節装置。
【請求項６】
前記第１のアクチュエータは、印加する電流値に応じて停止位置が変化するアクチュエータであり、
前記第２のアクチュエータは、無通電状態において前記第２の遮光部材を前記第１の遮光部材に当接させる方向に動作させる力を発生するアクチュエータであることを特徴とする請求項５に記載の光量調節装置。
【請求項７】
前記シャッタ動作時には、前記第１の遮光部材の停止位置に関係なく、前記第２のアクチュエータにより前記第２の遮光部材が駆動されることを特徴とする請求項１から６のいずれか１つに記載の光量調節装置。
【請求項８】
請求項１から７のいずれか１つに記載の光量調節装置を含む光学系を有することを特徴とする光学機器。
【請求項９】
前記光学系により形成された被写体像を光電変換する撮像素子をさらに有することを特徴とする請求項８に記載の光学機器。
【請求項１０】
測光情報に応じて前記光量調節装置の絞り調節動作を制御し、かつ該測光情報に応じた絞り調節状態から前記シャッタ動作を開始させる制御手段を有することを特徴とする請求項８又は９に記載の光学機器。
【手続補正２】
【補正対象書類名】明細書
【補正対象項目名】０００７
【補正方法】変更
【補正の内容】
【０００７】
本発明は、装置の大型化を抑えつつ、絞り段数の多段化を図り、かつ絞り動作とシャッタ動作のそれぞれにおいて最適な構成を得ることができる光量調節装置を提供することを目的の１つとしている。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】変更
【補正の内容】
【０００９】
本発明の光量調節装置は、第１のアクチュエータと、第２のアクチュエータと、該第１のアクチュエータにより駆動される第１の遮光部材と、該第２のアクチュエータにより駆動され、かつ第１の遮光部材と当接して第１の遮光部材の動作によって駆動可能な第２の遮光部材とを有する。そして、絞り調節動作時には第１のアクチュエータにより第１の遮光部材が駆動されるとともに第２の遮光部材が駆動されてこれら第１および第２の遮光部材にて形成される絞り口径を調節し、シャッタ動作時には第２のアクチュエータにより第２の遮光部材が駆動される。
【手続補正５】
【補正対象書類名】明細書
【補正対象項目名】００１０
【補正方法】変更
【補正の内容】
【００１０】
本発明によれば、簡単な構成で、複数の遮光部材（第１および第２の遮光部材）を用いた多段階の絞り調節が可能であるとともに、複数の遮光部材のうち一部（第２の遮光部材）を用いた高速のシャッタ動作を行うことができる。これにより、装置の大型化を抑えつつ、絞り動作とシャッタ動作のそれぞれにおいて最適な構成を有する絞り兼シャッタ装置を得ることができる。
【手続補正６】
【補正対象書類名】明細書
【補正対象項目名】００１２
【補正方法】変更
【補正の内容】
【００１２】
図１には、本発明の参考実施例である光量調節装置を備えたデジタルスチルカメラの概略構成を示している。図１において、１００はカメラ本体であり、１１０は撮影光学系である。撮影光学系１１０内には、上記光量調節装置１２０が配置されている。１３０はＣＣＤセンサ、ＣＭＯＳセンサ等からなる撮像素子であり、撮影光学系１１０により形成された被写体像を光電変換する。撮像素子１３０からの出力信号には、画像処理および制御回路（制御手段）１４０での各種処理が施され、これにより撮影画像が生成される。撮影画像のデータは、不図示の記録媒体（半導体メモリ、磁気ディスク、光ディスク等）に記録される。
【手続補正７】
【補正対象書類名】明細書
【補正対象項目名】００１４
【補正方法】変更
【補正の内容】
【００１４】
１は地板であり、その中央には開放開口１ａが形成されている。地板１の上部には、電流値に応じて停止位置が変化するステッピングモータ２が保持されており、該ステッピングモータ２の回転は、駆動レバー３を介して羽根４および羽根５に伝達される。ステッピングモータ２を図３中Ａ方向に回転させることにより、羽根４，５が地板１に設けられた軸部１ｂ，１ｃを中心に回動し、該羽根４，５により形成する開口の閉じ作動を行う。また、ステッピングモータ２を図３中Ｂ方向に回転させることにより、羽根４，５が軸部１ｂ，１ｃを中心に回動し、該羽根４，５により形成する開口の開き作動を行う。
【手続補正８】
【補正対象書類名】明細書
【補正対象項目名】００１５
【補正方法】変更
【補正の内容】
【００１５】
また、地板１の下部には、２極ムービングマグネット型の電磁モータ６が保持されている。電磁モータ６の回転は、駆動レバー７を介して羽根８および羽根９に伝達される。電磁モータ６を図３中のＣ方向に回転させることにより、羽根８，９が地板１に設けられた軸部１ｄ，１ｅを中心に回動し、該羽根８，９により形成する開口の閉じ作動を行う。また、電磁モータ６を図３中Ｄ方向に回転させることにより、羽根８，９が軸部１ｄ，１ｅを中心に回動し、該羽根８，９により形成する開口の開き作動を行う。
【手続補正９】
【補正対象書類名】明細書
【補正対象項目名】００１７
【補正方法】変更
【補正の内容】
【００１７】
このため、これら４枚の羽根４，５，８，９がどのような回動状態にあっても上記の重なり順序が変わることがなく、羽根同士の干渉により各羽根４，５，８，９の動作が妨げられることはない。また、各羽根を重ねることにより、光量調節装置１２０を光軸直交面内において小型化することができる。
【手続補正１０】
【補正対象書類名】明細書
【補正対象項目名】００２９
【補正方法】変更
【補正の内容】
【００２９】
図９および図１０には、本発明の実施例１における絞り兼シャッタ装置としての光量調節装置２２０の構成を示している。本実施例の光量調節装置２２０も、参考実施例で説明したカメラの撮影光学系内に配置される。
【手続補正１１】
【補正対象書類名】明細書
【補正対象項目名】００３０
【補正方法】変更
【補正の内容】
【００３０】
１１は地板であり、その中央には開放開口１１ａが形成されている。地板１１の上部には、ステッピングモータ（第１のアクチュエータ）１２が保持されており、該ステッピングモータ１２の回転は、駆動レバー１３を介して羽根（第１の遮光部材）１４および羽根１５に伝達される。
【手続補正１２】
【補正対象書類名】明細書
【補正対象項目名】００４０
【補正方法】変更
【補正の内容】
【００４０】
なお、羽根１４，１５，１８，１９の配置について説明する。最も地板１１側には、羽根１５が配置され、その上に羽根１８、羽根１４、羽根１９の順で重ねられている。羽根１５と羽根１８は、それらの先端部および回動中心である軸部１１ｃ，１１ｄの周囲部分とが互いに常に重なるようになっている。このため、これら４枚の羽根１４，１５，１８，１９がどのような回動状態にあっても上記の重なり順序が変わることがなく、羽根同士の干渉により各羽根１４，１５，１８，１９の動作が妨げられることはない。
【手続補正１３】
【補正対象書類名】明細書
【補正対象項目名】００４８
【補正方法】変更
【補正の内容】
【００４８】
次に、撮影者が不図示の撮影スイッチを押すと、制御回路１４０は、撮像素子１３０に蓄積された電荷のリセットおよび電荷の取り込みを開始する。また、これとほぼ同時に、シャッタ閉じ信号を電磁モータ１６に与える。このときのシャッタ閉じ信号は、電磁モータ１６をそのときの絞り状態で保持するのに必要な駆動信号の電流値をさらに増加させることによって与えられる。これにより、電磁モータ１６はステッピングモータ１２（羽根１４，１５）の停止位置に関係なく図１０に示したＧ方向にさらに回転し、羽根１８，１９が開口を閉じるように回動する。このシャッタ動作が終了した状態を図１５に示す。
【手続補正１４】
【補正対象書類名】明細書
【補正対象項目名】００５７
【補正方法】変更
【補正の内容】
【００５７】
【図１】本発明の参考実施例であるデジタルスチルカメラの概略構成図である。
【図２】参考実施例の光量調節装置の外観斜視図である。
【図３】参考実施例における開放状態にある光量調節装置の正面図である。
【図４】参考実施例における中間絞り状態にある光量調節装置の正面図である。
【図５】参考実施例における中間絞り状態にある光量調節装置の正面図である。
【図６】参考実施例における中間絞り状態にある光量調節装置の正面図である。
【図７】参考実施例における中間絞り状態にある光量調節装置の正面図である。
【図８】参考実施例におけるシャッタ動作終了状態にある光量調節装置の正面図である。
【図９】本発明の実施例１である光量調節装置の外観斜視図である。
【図１０】実施例１における開放状態にある光量調節装置の正面図である。
【図１１】実施例１における中間絞り状態にある光量調節装置の正面図である。
【図１２】実施例１における中間絞り状態にある光量調節装置の正面図である。
【図１３】実施例１における中間絞り状態にある光量調節装置の正面図である。
【図１４】実施例１における中間絞り状態にある光量調節装置の正面図である。
【図１５】実施例１におけるシャッタ動作終了状態にある光量調節装置の正面図である。
【図１６】参考実施例の光量調節装置の絞り調節動作およびシャッタ動作を示すフローチャートである。
【手続補正１５】
【補正対象書類名】明細書
【補正対象項目名】００５８
【補正方法】変更
【補正の内容】
【００５８】
１２：ステッピングモータ（第１のアクチュエータ）
１６：電磁モータ（第２のアクチュエータ）
１４：羽根（第１の遮光部材）
１８、１９：羽根（第２の遮光部材）